(57)【要約】      （修正有）【課題】吸引プラテンから吸引ファンを介して排出される排気による騒音を抑制でき、排気による周囲への悪影響を抑制でき、外部からの異物の吸い込みを抑制できるようにした吸引プラテンの吸排気流路を備えたプリンターを提案する。【解決手段】ロール紙プリンター１では、吸引プラテン８から吸引ファン２８に吸引された吸気は、吸引ファン２８の排気口からプリンターの外部に排出されることなく、その内部のプリンター機構部９の隙間を経由する還流路４１に沿って再び吸引プラテン８の側に戻る。吸引プラテン８の吸排気流路がプリンター外装ケース２ａの内部に形成されているので、外部に排気を排出することに起因する弊害、外部から空気を吸引することに起因する弊害を抑制できる。【選択図】図９
2010201681.tif 000002
【特許請求の範囲】
【請求項１】
記録紙を吸引するための吸引口が形成されたプラテン面を備えた吸引プラテンと、
吸引ファンと、
前記吸引口から前記吸引プラテンの内部に吸引された吸気を前記吸引ファンの吸気口に
導く吸引ダクトと、
プリンター外装ケースの内部に開口している前記吸引ファンの排気口と、
前記排気口から排出された排気を前記プラテン面側に戻すために前記プリンター外装ケ
ースの内部に形成されている排気還流路とを有していることを特徴とするプリンター。
【請求項２】
前記排気還流路は、
前記プリンター外装ケースと当該プリンター外装ケースの内部に配置されているプリン
ター内蔵部品群との間の隙間、
前記プリンター外装ケースと前記プリンター内蔵部品群が搭載されているプリンター本
体フレームとの間の隙間、および、
前記プリンター内蔵部品群における内蔵部品間の隙間
によって形成されていることを特徴とする請求項１に記載のプリンター。
【請求項３】
前記吸引ファンの前記排気口は前記プリンター外装ケースの内部におけるプリンター後
側の部分に開口しており、
前記排気還流路は、前記プリンター外装ケースの内部におけるプリンター側方部分に形
成されている側方隙間を備えており、
当該側方隙間は、前記プリンター外装ケースの内側の側面部分と、この側面部分に対峙
している前記プリンター本体フレームの側板部分との間に形成されていることを特徴とす
る請求項２に記載のプリンター。
【請求項４】
前記プリンター外装ケースに形成した開口部を封鎖している開閉蓋を有し、
前記吸引プラテンは前記開閉蓋に搭載されており、
前記吸引ダクトは、前記吸引プラテンの側に取り付けられているプラテン側ダクトと、
前記吸引ファンの吸引口の側に取り付けられている吸引ファン側ダクトとを備えており、
これらのプラテン側ダクトおよび吸引ファン側ダクトは分離可能な状態で接続されてお
り、
前記開閉蓋の開閉に応じて、前記プラテン側ダクトと前記吸引ファン側ダクトとの間の
分離、接続状態が形成されることを特徴とする請求項１ないし３のうちのいずれかの項に
記載のプリンター。
【請求項５】
前記プリンター外装ケースの内部に形成されているロール紙収納部を有し、
前記開閉蓋は前記ロール紙収納部を開閉するためのものであることを特徴とする請求項
４に記載のプリンター。
【請求項６】
吸引部と、
吸引ファンと、
前記吸引部から吸引された吸気を前記吸引ファンの吸気口に導く吸引ダクトと、
プリンター本体フレームと、
前記プリンター本体フレームを覆うプリンター外装ケースと、
少なくとも前記プリンター本体フレームと前記プリンター外装ケースとの間に、前記吸
引ファンの排気口から排出された排気を前記吸引部に向かって還流する排気還流路を有す
ることを特徴とするプリンター。
【発明の詳細な説明】
【技術分野】
【０００１】
本発明は、記録紙を吸引しながらガイドする吸引プラテンを備えたプリンターに関し、
特に、吸引プラテンの吸排気流路の改良技術に関する。
【背景技術】
【０００２】
ロール紙などの連続紙に印刷を行うプリンターとして、インクジェットプリンターがあ
り、プラテン上を搬送される連続紙が浮き上がってインクジェットヘッドのノズル面に干
渉することの無い様に、吸引プラテンを備えたものが提案されている。特許文献１には、
表面に記録紙を吸引するための多数の吸引孔を備えた吸引プラテンを備えたプリンターが
開示されている。
【０００３】
また、ロール紙に印刷を行うインクジェットプリンターでは、ロール紙交換時などにお
いて、ロール紙収納部に収納したロール紙から繰り出される記録紙をインクジェットヘッ
ドとプラテンの間、紙送りローラと押えローラの間などを通して排出口から引き出した状
態にセットする記録紙セット作業が必要である。この記録紙セット作業を簡単に行うこと
が出来るように、ロール紙収納部の開閉蓋を開けると、記録紙の搬送路も開放状態に切り
替わる構成のプリンターが提案されている。この構成のプリンターは特許文献２に開示さ
れている。
【先行技術文献】
【特許文献】
【０００４】
【特許文献１】特開２００９−２８９１７号公報
【特許文献２】特開２００６−２４８０４０号公報
【発明の概要】
【発明が解決しようとする課題】
【０００５】
ここで、特許文献１に開示されているような吸引プラテンを備えたプリンターでは、吸
引プラテンの吸引孔を介して吸引ファンに吸引された空気が、当該吸引ファンの排気口か
らプリンター外装ケースの背面側に形成されている排気口を介して外部に排出される。排
気口を介して空気が外部に排出される際には排気音が発生するので、たとえば、静寂な環
境でインクジェットプリンターが使用される場合などにおいては、排気音が大きな騒音源
となる可能性がある。また、インクジェットプリンターの後側に置かれている書類などが
排気によって吹き飛ばされるなどの弊害もある。
【０００６】
これに加えて、吸引プラテンから吸引される空気は、プリンターの外部から、たとえば
吸引プラテンの近傍に位置している記録紙排出口などの隙間から吸い込まれる。外部から
空気を吸い込む際には埃などの異物も一緒に内部に吸い込む可能性がある。吸い込まれた
異物は吸引プラテンのプラテン面、ここを通過する記録紙、あるいはプラテン面に対峙し
ているインクジェットヘッドのノズル面などに付着し、記録紙の汚れ、あるいはノズル詰
まりに起因する印刷品質の低下などが発生するおそれもある。
【０００７】
一方、特許文献２に開示されているような開閉蓋の開閉によって記録紙の搬送路も開閉
するインクジェットプリンターでは、インクジェットヘッドに対峙しているプラテンが開
閉蓋の側に搭載されている。したがって、開閉蓋に吸引プラテンを搭載する場合には、プ
リンター本体に配置されている固定側の吸引ファンと移動側の吸引プラテンとの間を繋ぐ
吸引ダクトを、開閉蓋の開閉に追従できるように十分な長さの可撓性のダクトにする必要
がある。あるいは、開閉によるダクト長さ変動の影響を受けないように、吸引ダクトを、
開閉蓋の開閉中心位置を経由する経路に沿って引き回すことが必要である。
【０００８】
いずれの場合においても、吸引ダクトが長くなってしまうので、吸引ダクトを経由する
吸引流路の流路抵抗が増加し、吸引力の損失が大きくなる。このため、比較的容量の大き
な吸引ファンを配置する必要があり、プリンターの小型、低コスト化には不利である。ま
た、吸引ファンの容量を大きくすると、それに伴って吸引ファンの駆動音、排気口からの
排気音が大きくなり、これらがプリンターの騒音源になってしまうので好ましくない
本発明の課題は、このような点に鑑みて、吸引プラテンから吸引ファンを介して排出さ
れる排気による騒音を抑制でき、排気による周囲への悪影響を抑制でき、しかも、外部か
らの異物の吸い込みを抑制できるようにした吸引プラテンの吸排気流路を備えたインクジ
ェットプリンターを提案することにある。
【課題を解決するための手段】
【０００９】
上記の課題を解決するために、本発明のプリンターは、
記録紙を吸引するための吸引口が形成されたプラテン面を備えた吸引プラテンと、
吸引ファンと、
前記吸引口から前記吸引プラテンの内部に吸引された吸気を前記吸引ファンの吸気口に
導く吸引ダクトと、
プリンター外装ケースの内部に開口している前記吸引ファンの排気口と、
前記排気口から排出された排気を前記プラテン面側に戻すために前記プリンター外装ケ
ースの内部に形成されている排気還流路とを有していることを特徴としている。
【００１０】
本発明のプリンターでは、吸引プラテンから吸引ファンに吸引された吸気は、吸引ファ
ンの排気口からプリンターの外部に排出されることなく、その内部に形成されている排気
還流路に排出され、この排気還流路を経由して再びプラテン面の側に戻る。したがって、
プリンターの外に排気が排出されることがないので、排気音の発生を抑制でき、騒音の少
ないプリンターを実現できる。また、吸引ファンからの排気がプリンターの周囲に吹き出
されて、書類などが吹き飛ばされる、埃が舞い上がるなどといった弊害も抑制できる。さ
らに、プリンター外装ケースの内部において、吸引プラテンの吸排気の大部分が循環する
ので、吸引プラテン用の吸気としてプリンター外部から導入される空気量が少なくて済む
。したがって、プリンター外部から吸気と共に吸引される埃などの異物に起因する弊害も
抑制できる。
【００１１】
ここで、排気還流路を形成するために、還流ダクトなどの部品をプリンター外装ケース
の内部に配置すると、設置スペースの確保、部品点数の増加、製造コストの増加につなが
るので好ましくない。したがって、前記排気還流路をプリンター外装ケースの内部に存在
する隙間を利用して形成することが望ましい。すなわち、前記プリンター外装ケースと当
該プリンター外装ケースの内部に配置されているプリンター内蔵部品群との間の隙間、前
記プリンター外装ケースと前記プリンター内蔵部品群が搭載されている板金製のプリンタ
ー本体フレームとの間の隙間、および、前記プリンター内蔵部品群における内蔵部品間の
隙間を利用して形成することが望ましい。
【００１２】
プリンターのレイアウト上、一般的には吸引ファンはプリンターの背面側の部位に組み
込まれ、当該吸引ファンの前記排気口は前記プリンター外装ケースの内部におけるプリン
ター後側の部分に開口する。この場合には、前記プリンター外装ケースの内部におけるプ
リンター側方部分に形成されている側方隙間を利用して前記排気還流路を形成すればよい
。また、このような側方隙間としては、前記プリンター外装ケースの内側の側面部分と、
この側面部分に対峙している前記プリンター本体フレームの側板部分との間の隙間を用い
ることができる。
【００１３】
次に、本発明のプリンターにおいて、前記プリンター外装ケースに形成した開口部を封
鎖している開閉蓋を有し、前記吸引プラテンが前記開閉蓋に搭載されており、前記開閉蓋
を開くと、吸引プラテンもインクジェトヘッドから離れて、これらの間を経由する記録紙
搬送路が開放状態になる場合には、前記吸引ダクトを、前記吸引プラテンの側に取り付け
られているプラテン側ダクトと、前記吸引ファンの吸引口の側に取り付けられている吸引
ファン側ダクトとから構成し、これらのプラテン側ダクトおよび吸引ファン側ダクトを分
離可能な状態で接続しておき、前記開閉蓋の開閉に応じて、前記プラテン側ダクトと前記
吸引ファン側ダクトとの間の分離、接続状態を形成することが望ましい。
【００１４】
このように、吸引ダクトを分離型にすると、開閉蓋の開閉に追従できるような長い吸引
ダクト、あるいは、開閉蓋の開閉中心を経由する長い吸引ダクトを配置する必要がなく、
吸気流路抵抗を小さくできる。この結果、吸引力の大きな吸気ファンを使用する必要がな
いので、吸引ファンによる発生騒音の抑制に有効である。
【００１５】
また、開閉蓋を開けることによって記録紙搬送路が開放状態に切り替わるプリンターと
して、ロール紙に印刷を行うロール紙プリンターが知られている。ロール紙プリンターの
場合には、前記プリンター外装ケースの内部に形成したロール紙収納部を、前記開閉蓋に
よって開閉できるようにすればよい。
【００１６】
次に、本発明のプリンターにおいて、
吸引部と、
吸引ファンと、
前記吸引部から吸引された吸気を前記吸引ファンの吸気口に導く吸引ダクトと、
プリンター本体フレームと、
前記プリンター本体フレームを覆うプリンター外装ケースと、
少なくとも前記プリンター本体フレームと前記プリンター外装ケースとの間に、前記吸
引ファンの排気口から排出された排気を前記吸引部に向かって還流する排気還流路を有す
ることが望ましい。
【００１７】
プリンター本体フレームとプリンター外装ケースとの間の隙間を用いて、排気還流路を
構成するため、省スペースで騒音や排気の影響の少なくすることができる。
【００１８】
吸引部は、インクジェットヘッドを搭載したプリンターにおいて、記録紙を吸着する吸
引プラテンや、インクミストを回収する回収装置などに適用が可能である。
【発明の効果】
【００１９】
本発明のプリンターでは、吸引プラテンの吸排気流路がプリンター外装ケースの内部を
循環する循環路となっている。したがって、吸引ファンの排気をプリンター外装ケースに
開けた排気口から外部に排出する必要がないので、排気に伴って発生する騒音を抑制でき
る。また、外部に排出される排気によって周囲環境に悪影響を与えることも防止できる。
さらには、外部から導入される吸気量は僅かでよいので吸気と共にプリンター内部に吸い
込まれた異物による悪影響も抑制できる。
【図面の簡単な説明】
【００２０】
【図１】本発明を適用したロール紙プリンターの外観斜視図である。
【図２】ロール紙プリンターの開閉蓋を開けた状態を示す外観斜視図である。
【図３】ロール紙プリンターの内部構造を示す概略縦断面図である。
【図４】ロール紙プリンターの開閉蓋を開けた状態を示す概略縦断面図である。
【図５】プリンター外装ケースによって覆われているプリンター機構部の説明図である。
【図６】吸引プラテンの吸引機構を示す部分斜視図である。
【図７】吸引プラテンの吸引機構を示す部分斜視図である。
【図８】図７のＡ−Ａ線で切断した部分を示す部分断面図である。
【図９】吸引プラテンの吸排気流路を示す説明図である。
【発明を実施するための形態】
【００２１】
以下に、図面を参照して、本発明を適用したプリンターの実施の形態を説明する。
【００２２】
（全体構成）
図１は本実施の形態に係るインクジェット式のロール紙プリンターの外観斜視図であり
、図２はその開閉蓋を全開にした状態の外観斜視図である。ロール紙プリンター１は全体
としてほぼ直方体形状をしたプリンター本体２と、プリンター本体２の前面に取り付けた
開閉蓋３とを有している。プリンター本体２のプリンター外装ケース２ａの前面には所定
幅の記録紙排出口４が形成されている。記録紙排出口４の下側には排紙ガイド５が前方に
突出しており、当該排紙ガイド５の側方には蓋開閉レバー６が配置されている。プリンタ
ー外装ケース２ａにおける排紙ガイド５および蓋開閉レバー６の下側には、ロール紙出し
入れ用の矩形の開口部２ｂが形成されており、この開口部２ｂが開閉蓋３の開閉蓋ケース
３ａによって封鎖されている。
【００２３】
蓋開閉レバー６を操作すると開閉蓋３のロックが解除される。ロック解除後、開閉蓋３
に搭載されている排紙ガイド５を前方に引くと、図２に示すように、開閉蓋３が下端部を
中心として前方にほぼ水平となるまで開く。開閉蓋３が開くと、プリンター本体２の内部
に形成されているロール紙収納部７が開放状態となる。同時に、印刷位置を規定している
吸引プラテン８が開閉蓋３と一緒に移動して、ロール紙収納部７から記録紙排出口４に到
る記録紙搬送経路が開放状態となり、プリンター前方からロール紙の交換作業などを簡単
に行うことができる。
【００２４】
（内部構成）
図３はロール紙プリンターの内部構成を示す概略縦断面図であり、図４は開閉蓋３を全
開にした状態の概略縦断面図である。また、図５はプリンター外装ケース２ａによって覆
われているプリンター機構部を示す概略斜視図である。これらの図を参照して説明すると
、ロール紙プリンター１の内部に配置されているプリンター機構部９は、板金製のプリン
ター本体フレーム１０を備えており、このプリンター本体フレーム１０は底板１０ａ、左
右の側板１０ｂ、１０ｃおよび背面板１０ｄなどから構成されており、ここに、プリンタ
ー内蔵部品群が搭載されている。
【００２５】
ロール紙収納部７は、プリンター本体フレーム１０における幅方向の中央部分に形成さ
れており、このロール紙収納部７には、ロール紙１１の中心軸がプリンター幅方向に向い
た横置き状態で収納される。ロール紙収納部７の右側面を規定しているプリンター本体フ
レーム１０の側板部分１０ｃと、プリンター外装ケース２ａの右側のケース側面部分２ｂ
との間には、側板部分１０ｃに取り付けられたインクカートリッジ装着部１２が配置され
ている。このインクカートリッジ装着部１２にはインクカートリッジ１３が着脱可能な状
態で装着されている。また、プリンター本体フレーム１０の背面板１０ｄの後側には、吸
引プラテン８のプラテン面８ａに沿って搬送される記録紙１１ａの部分をプラテン面８ａ
に吸引するための吸引ファン２８が取り付けられている。吸引ファン２８としてはシロッ
コファンが用いられている。
【００２６】
プリンター本体フレーム１０の上端には、ロール紙収納部７およびインクカートリッジ
装着部１２を覆う状態に、板金製のヘッドユニットフレーム１４が水平に取り付けられて
いる。ヘッドユニットフレーム１４には、インクジェットヘッド１５、インクジェットヘ
ッド１５を搭載しているキャリッジ１６、およびキャリッジ１６のプリンター幅方向への
移動をガイドするキャリッジガイド軸１７が配置されている。インクジェットヘッド１５
はインクノズル面１５ａが下向きになるようにキャリッジ１６に搭載されている。キャリ
ッジガイド軸１７はプリンター幅方向に水平に架け渡されており、ヘッドユニットフレー
ム１４には、キャリッジ１６をキャリッジガイド軸１７に沿って往復移動させるための不
図示のキャリッジ搬送機構が搭載されている。
【００２７】
ここで、インクジェットヘッド１５の真下にはプリンター前後方向に水平に延びるプラ
テンフレーム１８が配置されている。プラテンフレーム１８の上端には吸引プラテン８が
プリンター幅方向に水平に取り付けられている。吸引プラテン８のプラテン面８ａは、イ
ンクジェットヘッド１５に一定のギャップで対峙しており、インクジェットヘッド１５の
印刷位置を規定している。
【００２８】
プラテンフレーム１８の後端には下方に湾曲しているテンションガイド２０が取り付け
られている。テンションガイド２０はバネ力によって上方に付勢されており、ロール紙収
納部７に収納されているロール紙１１から引き出された記録紙１１ａは、テンションガイ
ド２０によって所定の張力が付与された状態で湾曲させられて、印刷位置を経由する記録
紙搬送経路に沿って引き出される。
【００２９】
吸引プラテン８の後側には、後側紙送りローラ２１がプリンター幅方向に水平に架け渡
されている。後側紙送りローラ２１には所定幅の後側紙押えローラ２２が記録紙１１ａを
介して所定の押圧力で押し付けられている。吸引プラテン８の前側には、前側紙送りロー
ラ２３が配置されている。前側紙送りローラ２３には、上側から記録紙１１ａを介して前
側紙押えローラ２４が押し付けられている。後側紙送りローラ２１および前側紙送りロー
ラ２３は、プラテンフレーム１８の後方に搭載されている紙送りモーター２５によって回
転駆動される。紙送りモーター２５は扁平な直方体の筐体を備えており、回転軸をプリン
ター幅方向の外側に向けて配置されている。
【００３０】
ロール紙１１から繰り出された記録紙１１ａの部分は吸引プラテン８のプラテン表面８
ａに吸引された状態で搬送されて印刷位置を通過する。印刷位置ではキャリッジ１６をキ
ャリッジガイド軸１７に沿って往復移動させながら、そこに搭載されているインクジェッ
トヘッド１５により印刷が行われる。記録紙１１ａの幅方向への一連の行印刷が終了した
後は、後側紙送りローラ２１および前側紙送りローラ２３が回転駆動されて、所定ピッチ
だけ記録紙１１ａが送り出される。この後に、次の行印刷が行われる。このように、記録
紙１１ａは、所定ピッチで間欠的に送り出されながらインクジェットヘッド１５によって
印刷が施される。印刷後の記録紙１１ａが排出される記録紙排出口４には、例えば鋏式の
記録紙切断装置２６が配置されている。記録紙切断装置２６によって、これらの間に位置
する記録紙１１ａの部位が幅方向に切断される。
【００３１】
開閉蓋３は、たとえば、左右一対の前側平行リンクと、左右一対の後側平行リンクとを
有する４節の平行リンク機構によって下端の支軸２７を中心として開閉可能な状態でプリ
ンター本体フレーム１０に支持されている。開閉蓋３を開閉すると、プラテンフレーム１
８に搭載されている吸引プラテン８、テンションガイド２０、後側紙送りローラ２１、前
側紙送りローラ２３などの部品も一緒に開閉して前方に移動する。この結果、図４に示す
ように、ロール紙収納部７から記録紙排出口４に至る記録紙搬送路２７（図３において一
点鎖線で示す経路）が開放状態になる。開閉蓋３を閉じると、プラテンフレーム１８がほ
ぼ水平な姿勢となるように位置決めされる。この結果、図３に示すように、吸引プラテン
８がインクジェットヘッド１５のノズル面１５ａに一定のギャップで対峙して記録紙搬送
路が形成された状態になる。
【００３２】
（吸引プラテンの吸引機構）
図６は記録紙１１ａを吸引プラテン８に吸引するための吸引機構を取り出して示す概略
部分斜視図であり、図７は吸引機構を反対側から見た場合の部分斜視図であり、図８は図
７のＡ−Ａ線で切断した部分を示す部分断面図である。
【００３３】
これらの図を参照して説明すると、記録紙１１ａを吸引プラテン８に吸引するための吸
引機構は、吸引プラテン８に形成されている吸引部３０と、プリンター本体フレーム１０
の背面板１０ｄに取り付けられている吸引ファン２８と、吸引ファン２８の吸気口を吸引
プラテン８の吸引部３０に接続している吸引ダクト３２と、吸引ファン２８の排気口とプ
リンター本体フレーム１０の後方に形成されている排気口３３とを接続している排気ダク
ト３４を有している。
【００３４】
吸引プラテン８はプリンター幅方向に長い扁平な直方体形状をしており、往復移動する
インクジェットヘッド１５のプリンター幅方向の印刷領域を規定している。吸引部３０は
、吸引プラテン８のプラテン面８ａにおいて記録紙搬送方向に延びる複数の縦リブ３５に
よって仕切られている複数の溝３６と、各溝３６の底面３６ａに形成されている吸引孔３
７と、プラテン８の内部に形成されている吸引室３８とを備えており、各吸引孔３７は吸
引室３８に連通している。
【００３５】
吸引プラテン８の側方には、インクジェットヘッド１５から吐出されるインク液滴に起
因して発生するインクミストを回収するインクミスト回収部３９が一体形成されている。
インクミスト回収部３９の後端側の部位、すなわち、印刷領域から側方に外れた位置には
、吸引室３８に連通している吸引ダクト３２が配置されている。吸引ダクト３２は、吸引
室３８に一体形成されているプラテン側ダクト３２ａと、プリンター本体２の側に固定さ
れている吸引ファン２８に取り付けた吸引ファン側ダクト３２ｂから構成されている。
【００３６】
プラテン側ダクト３２ａの開口端３２ｃは下方に略４５度傾斜した方向を向いており、
ここには、下側から、同一角度傾斜している吸引ファン側ダクト３２ｂの前側開口端３２
ｄが分離可能な状態で圧接されて、気密状態で接続されている。吸引ファン側ダクト３２
ｂは矩形断面のダクトであり、前側開口端３２ｄと、ここから下方に垂直に延びている垂
直ダクト部分３２ｅと、この垂直ダクト部分３２ｅの下端から後方に直角に折れ曲がって
延びている水平ダクト部分３２ｆとを備えている。水平ダクト部分３２ｆの後端は背面板
１０ｄによって封鎖されており、その横方の部位が吸引ファン２８の吸気口に接続されて
いる。
【００３７】
吸引ファン側ダクト３２ｂの前側開口端３２ｄにはパッキン（図示せず）が取り付けら
れており、プラテン側ダクト３２ａの開口端３２ｃａに対してパッキンを介して気密状態
に当接している。開閉蓋３が開かれると、プラテンフレーム１８も移動するので、開口端
３２ｃが吸引ファン側ダクト３２ｂの前側開口端３２ｄから離れる。
【００３８】
このように、吸引プラテン８と吸引ファン２８の間を接続している吸引ダクト３２は、
開閉蓋３の開閉に伴って、切り離し状態および接続状態に切り替え可能である。したがっ
て、開閉蓋３の開閉に追従できるように長い吸引ダクトを配置する必要がなく、また、開
閉蓋３の開閉中心を経由した長い吸引ダクトを配置する必要がない。よって、吸引ダクト
３２の流路抵抗が小さいので吸引力の小さな吸引ファン２８を配置することができる。こ
のため、吸引ファン２８の駆動音、吸排気音に起因する騒音を抑制できるという利点があ
る。
【００３９】
（吸引プラテンの吸排気流路）
次に、図９は吸引ファン２８によって形成される吸引プラテン８の吸排気流路を示す説
明図である。本例のロール紙プリンター１においては、そのプリンター外装ケース２ａに
吸引ファン２８から排出される排気をプリンター外部に排出するための排気口が形成され
ていない。吸引ファン２８から排出される排気は、排気ダクト３４の先端の排気口３３か
らプリンター外装ケース２ａの内部に排出される。
【００４０】
排気ダクト３４は、吸引ファン２８からプリンター幅方向に延びている。排気ダクト３
４の先端の排気口３３は、プリンター本体フレーム１０の側板１０ｃが位置するプリンタ
ー幅方向の端部側の部位において、プリンター前方を向いた状態で開口している。プリン
ター本体フレーム１０の側板１０ｃの外側にはインクカートリッジ装着部１２が取り付け
られており、インクカートリッジ装着部１２の外側をプリンター外装ケース２ａにおける
側板部分２ｃが覆っている。
【００４１】
図５、７、９に矢印で示すように、排気口３３からプリンター前方に向けて排出された
排気は、全体として、インクカートリッジ装着部１２が配置されている側板１０ｃと側板
２ｃの間に形成されている隙間部分４１を経由してプリンター前方に流れる。また、前方
に流れながら、プリンター機構部９の隙間を通って、吸引プラテン８のプラテン面８ａに
向かう。そして、プラテン面８ａに形成されている吸引孔３７から吸引室３８内に吸引さ
れる。
【００４２】
このように、吸引プラテン８の吸排気流路は、プリンター外装ケース２ａの内部を循環
する循環経路となっている。すなわち、吸引プラテン８の吸引孔３７から吸引された空気
は、吸引ダクト３２を介して吸引ファン２８の側に吸引される。吸引ファン２８の排気口
から排出される排気は排気ダクト３４を介してプリンター外装ケース２ａの内部に開口し
ている排気口３３からプリンター内部に排出される。排出された排気はプリンター機構部
９の隙間を利用した還流路に沿って再び吸引プラテン８に戻り、その吸引孔３７から吸引
される。
【００４３】
このように、ロール紙プリンター１のプリンター外装ケース２ａには吸引ファン２８の
排気を外部に排出するための排気口が形成されていないので、ここを介して外部に排出さ
れる排気による騒音が発生しない。よって、騒音発生の少ない吸引プラテンを備えたロー
ル紙プリンターを実現できる。また、吸引ファン２８の排気が排気口から外部に排出され
ないので、排気によって周辺部分に悪影響が及ぶこともない。さらには、プリンター外装
ケース２ａの内部を循環する空気を利用して吸引プラテン８による記録紙吸引を行ってい
るので、外部からプリンター内部に吸引される吸気量が少なくて済む。したがって、吸気
に含まれる異物によって引き起こされる弊害も抑制することができる。
【００４４】
なお、上記の例はインクジェット式のロール紙プリンターに関するものであるが、本発
明は、インクジェットプリンターに限らず、吸引部を有するプリンターに適用することが
できる。
【符号の説明】
【００４５】
１  ロール紙プリンター、２  プリンター本体、２ａ  プリンター外装ケース、２Ａ  側
板部分、２ｂ  開口部、２ｃ  ケース側面部分、３  開閉蓋、３ａ  開口蓋ケース、４  
記録紙排出口、５  排紙ガイド、６  蓋開閉レバー、７  ロール紙収納部、８  吸引プラ
テン、８ａ  プラテン面、９  プリンター機構部、１０  プリンター本体フレーム、１０
ａ  底板、１０ｂ，１０ｃ  側板、１０ｄ  背面板、１１  ロール紙、１１ａ  記録紙、
１２  インクカートリッジ装着部、１３  インクカートリッジ、１４  ヘッドユニットフ
レーム、１５  インクジェットヘッド、１５ａ  インクノズル面、１６  キャリッジ、１
７  キャリッジガイド軸、１８  プラテンフレーム、２０  テンションガイド、２１  後
側紙送りローラ、２２  後側紙押えローラ、２３  前側紙送りローラ、２４  前側紙押え
ローラ、２５  紙送りモーター、２６  記録紙切断装置、２８  吸引ファン、３０  吸引
部、３２  吸引ダクト、３２ａ  プラテン側ダクト、３２ｂ  吸引ファン側ダクト、３２
ｃ  開口端、３２ｄ  開口端、３２ｅ  垂直ダクト部分、３２ｆ  水平ダクト部分、３３
排気口、３４  排気ダクト、３５  縦リブ、３６  溝、３６ａ  底面、３７  吸引孔、
３８  吸引室、３９  インクミスト回収部、４１  隙間（還流路）
【図１】
2010201681.tif 000003
【図２】
2010201681.tif 000004
【図３】
2010201681.tif 000005
【図４】
2010201681.tif 000006
【図５】
2010201681.tif 000007
【図６】
2010201681.tif 000008
【図７】
2010201681.tif 000009
【図８】
2010201681.tif 000010
【図９】
2010201681.tif 000011